(57)【特許請求の範囲】
【請求項１】
アンダーガーメント着用者の肌側に位置する内面と、着用したアンダーガーメント側に位置する外面と、前記アンダーガーメントの前後方向に延びる縦方向と、前記縦方向に直交する横方向とを有する体液吸収性物品の前記外面と前記アンダーガーメントの股部内面との間に介在させて前記体液吸収性物品をアンダーガーメントの前記股部内面に取り付けるための手段において、
前記手段を前記縦方向へ長く延びる第１シートと前記アンダーガーメントの上下方向において前記第１シートの上に重なる第２シートとによって形成し、前記第１シートは、前記第２シート側に位置する内面と前記股部内面側に位置する外面とを有し、前記股部内面に沿うことができるように前記縦方向において弾性的に湾曲伸展可能であり、前記第２シートは、前記体液吸収性物品側に位置する内面と前記第１シート側に位置する外面とを有し、前記縦方向において前記第１シートの両端部に接合していて前記縦方向と横方向とのうちの少なくとも前記縦方向に弾性伸縮性を有しており、前記第１シートの外面には前記股部内面に対して取り外し可能に止着するための手段が形成され、前記第２シートの内面は前記体液吸収性物品をその外面において止着可能に形成されるとともに、前記第１シートまたは前記第２シートの弾性によってこれらシートが離間され、前記アンダーガーメントと前記体液吸収性物品とが離隔されることを特徴とする前記手段。
【請求項２】
前記第２シートが前記縦方向において伸長された状態で前記第１シートに接合している請求項１記載の手段。
【請求項３】
前記第２シートが前記縦方向において非伸長状態で前記第１シートに接合している請求項１記載の手段。
【請求項４】
前記第２シート内面の縦方向中央部位には、前記体液吸収性物品外面の縦方向中央部位が取り外し不能および取り外し可能いずれかの態様で止着している請求項１〜３のいずれかに記載の手段。
【請求項５】
前記体液吸収性物品が生理用ナプキンおよび失禁パッドのいずれかである請求項１〜４のいずれかに記載の手段。
【発明の詳細な説明】
【０００１】
【発明の属する技術分野】
この発明は、生理用ナプキンや失禁パッド等の体液吸収性物品をパンティ等のアンダーガーメントに取り付けるための手段に関する。
【０００２】
【従来の技術】
従来、着用したアンダーガーメントに対して生理用ナプキンをほぼ固定した状態で使用することは周知である。このための一般的な手段として、アンダーガーメントに当接させる生理用ナプキンの下面に粘着剤を塗布することも周知である。その下面は、生理用ナプキンの本体部分の下面である場合と、本体部分から側方へ延出するように形成されたウイングの下面である場合とがある。
【０００３】
【発明が解決しようとする課題】
アンダーガーメントにほぼ固定された前記周知の生理用ナプキンは、アンダーガーメントの着用状態にもよるが、身体の動きに終始追随させることは難しい。生理用ナプキンが身体の動きに追随できなければ、身体から離間して経血漏れの原因となる。
【０００４】
そこで、この発明は、着用したアンダーガーメントに取り付けられている生理用ナプキンや失禁パッド等の体液吸収性物品が身体の動きによく追随できるようにすることを課題にしている。
【０００５】
【課題を解決するための手段】
前記課題解決のために、この発明が対象とするのは、アンダーガーメント着用者の肌側に位置する内面と、着用したアンダーガーメント側に位置する外面と、前記着用アンダーガーメントの前後方向に延びる縦方向と、前記縦方向に直交する横方向とを有する体液吸収性物品の前記外面と前記着用アンダーガーメントの股部内面との間に介在させて前記体液吸収性物品を前記アンダーガーメントの股部内面に取り付けるための手段である。
【０００６】
かかる手段において、この発明が特徴とするところは、以下のとおりである。前記手段が、前記縦方向へ長く延びる第１シートと前記アンダーガーメントの上下方向において前記第１シートの上に重なる第２シートとによって形成される。前記第１シートは、前記第２シート側に位置する内面と前記股部内面側に位置する外面とを有し、前記股部内面に沿うことができるように前記縦方向において弾性的に湾曲伸展可能である。前記第２シートは、前記体液吸収性物品側に位置する内面と前記第１シート側に位置する外面とを有し、前記縦方向において前記第１シートの両端部に接合していて前記縦方向と横方向とのうちの少なくとも前記縦方向に弾性伸縮性を有する。前記第１シートの外面には前記股部内面に対して取り外し可能に止着するための手段が形成され、前記第２シートの内面は前記体液吸収性物品をその外面において止着可能に形成されている。前記第１シートまたは前記第２シートの弾性によってこれらシートが離間され、前記アンダーガーメントと前記体液吸収性物品とが離隔される。
【０００７】
【発明の実施の形態】
体液吸収性物品として生理用ナプキンを例にとり、その生理用ナプキンをアンダーガーメントに取り付けるための発明に係る手段の詳細を添付の図面を参照して説明すると、以下のとおりである。
【０００８】
図１は、この発明に係る取り付け手段の一例であるナプキン支持具１が着用したパンティ等のアンダーガーメント２の股部３に取り付けられた状態を示す図面である。股部３は、アンダーガーメント２の前胴周り域部分２ａと後胴周り域部分２ｂとの間にあって前後方向へ長く延びている。支持具１とそれに支えられた生理用ナプキン４とは、縦方向と横方向とを有し、縦方向に長く作られていて、その縦方向は股部３の前後方向に一致させてある。支持具１は、底部シート６と頂部シート７とを有し、底部シート６が股部３の内面に沿って縦方向に湾曲している。頂部シート７は、底部シート６の縦方向両端部間に平坦な状態で延び、図の下方から生理用ナプキン４を支えてナプキン４が使用者の肌に密着し易いように作用している。
【０００９】
図２は、支持具１と破断された状態にある生理用ナプキン４の斜視図である。支持具１における底部シート６は、頂部シート７側に位置する内面６ａとアンダーガーメント股部３側に位置する外面６ｂとを有し、縦方向において平坦な状態から図示例のように湾曲した状態へと弾性的に変形できる平坦なシートおよび図のように縦方向において湾曲した状態から平坦に伸展した状態へと弾性的に変形できる湾曲したシートのいずれかで形成されるもので、図には前者の平坦シートの例が示されている。これらシートには、例えば厚さ０．２〜２ｍｍ程度の熱可塑性プラスチックシート、熱可塑性プラスチックの発泡シート、合成ゴム等のエラストマーからなるシート、発泡したエラストマーからなるシート、これらシートを湾曲した形状に成形したもの、および熱可塑性プラスチックの射出成形品等を使用することができる。かかる底部シート６が平坦な状態にあるときの縦方向と横方向の寸法は、支持具１の使用対象となる着用アンダーガーメント２に合わせて定めればよいが、一般的には、縦方向の寸法が１００〜３００ｍｍ，横方向の寸法が１０〜７０ｍｍの範囲にあって、横方向の寸法は生理用ナプキン４の幅よりも小さいことが好ましい。かような底部シート６は、身体と着用アンダーガーメント２との自然な動きを妨げることがないように、縦方向および横方向の曲げ弾性率が設定され、その外面６ｂに塗布された粘着剤によって形成される第１粘着域１４において、アンダーガーメント股部３の内面に止着され、ほぼ固定された状態にある(図１参照)。
【００１０】
支持具１に使用される頂部シート７は、ナプキン４側に位置する内面７ａと底部シート６側に位置する外面７ｂとを有し、縦方向と横方向とのうちの少なくとも縦方向に弾性伸縮性を有するシートで形成される。かかるシートには、弾性伸縮性のフィルムやネット、不織布、織布が使用され、底部シート６の縦方向両端部１１，１２に対して接着や溶着、縫合等の適宜の手段によって取り付けられる。かような頂部シート７は、底部シート６に対して縦方向に伸長状態および非伸長状態のいずれかで、より好ましくは伸長状態で取り付けられて底部シート６を図１に示されるように外面６ｂが凸となるように湾曲させる。好ましい頂部シート７は、それが収縮するときに、底部シート６との最大離間寸法Ｌ（図１参照）が１０〜７０ｍｍとなるように底部シート６を湾曲させる。
【００１１】
かような支持具１は、アンダーガーメント股部３の内面と向かい合う底部シート６の外面６ｂにおける縦方向と横方向との中央部位に形成された第１粘着域１４において、着用アンダーガーメント股部３内面に剥離可能に止着される。また、生理用ナプキン４の外面１７と向かい合う頂部シート７の内面７ａにおける縦方向と横方向との中央部位には粘着剤を塗布することによって第２粘着域１６が形成されており、この第２粘着域１６によって生理用ナプキン４がその外面１７の縦方向と幅方向との中央部位で支持具１に剥離可能または剥離不能な状態で取り付けられる。生理用ナプキン４は、外面１７の中央部位のみで頂部シート７に接合している。
【００１２】
図３は、図１の状態にある生理用ナプキン４の平面図であって、ナプキン４の下側に位置する支持具１が破線で示されている。生理用ナプキン４は、その外面１７の中央部位のみで弾性伸縮性の頂部シート７の中央部位に形成された第２粘着域１６に接合しているから、この第２粘着域１６を中心に仮想線で示されるような時計方向と反時計方向とへ、つまりアンダーガーメント２の幅方向へ回転可能な状態、より好ましくは時計方向と反時計方向とへ３０〜６０°まで回転可能な状態にある。また、図１の状態にある生理用ナプキン４にアンダーガーメント着用者の体圧Ｐが上方から作用すれば、頂部シート７が伸長してナプキン４は図の下方へ移動しながら身体への密着を強める。さらにはまた、アンダーガーメント２に対して身体だけが前後方向へ動くときには、頂部シート７が前後方向へ伸縮可能であるから、身体に密着している生理用ナプキン４は身体とともに前後方向へ動くことができる。
【００１３】
このように、生理用ナプキン４は、支持具１の作用によってアンダーガーメント２から離隔した状態で身体に密着しているので、身体の動きによく追随し、身体と生理用ナプキン４との間からの経血の漏れを防ぐことができる。
【００１４】
図４、５、６、７は、この発明の実施態様の一例を示すもので、図４は支持具１の斜視図であり、図５は図４のＶ−Ｖ線切断面を示す図であり、図６は図４の支持具１をアンダーガーメント股部３の内面に沿わせたときの側面図であり、図７は図６におけるＶＩＩ−ＶＩＩ線切断面を示す図である。図４、５から明らかなように、この支持具１は、平坦な底部シート６と、非伸長状態で底部シート６の両端縁部４１，４２と両側縁部４３，４４とに接合していて縦横両方向のうちの少なくとも縦方向に弾性伸縮性を有する頂部シート７とを有し、これら底部シート６と頂部シート７とが縦方向においてほぼ同じ長さを有している。頂部シート７は、その両側縁部４７，４８がＺ字形または逆Ｚ字形に折曲されている。底部シート６の外面６ｂは、第１粘着域１４を介してアンダーガーメント股部３の内面に止着し(図６参照)、頂部シート７の内面７ａには第２粘着域１６を介して生理用ナプキン４が取り付けられている。図６に示されるように、底部シート６をアンダーガーメント股部３に沿って湾曲させると、頂部シート７は、湾曲した底部シート６の内側に多数のひだ４６を作り、図７に示されるように、底部シート６の両側縁部４３，４４において生理用ナプキン４を下から押し上げてアンダーガーメント着用者の肌に当接させる。かかる生理用ナプキン４もまた、頂部シート７を介して底部シート６から離隔しているので、底部シート６がアンダーガーメント２にほぼ固定された状態にあっても、着用者の身体の動きに追随することが可能である。頂部シート７は、そのひだ４６が伸縮したり頂部シート７それ自体が弾性的に伸縮したりするので、その頂部シート７に取り付けられたナプキン４は、身体の動きに追随することが容易である。
【００１５】
この発明において、支持具１が繰り返し使用できるもので、生理用ナプキン４は頂部シート７に対して取り付け取り外しできるものであってもよいし、支持具１が使い捨てのものであって、生理用ナプキン４が頂部シート７に対して外すことができないように取り付けられていてもよい。図示例において頂部シート７に形成された第２粘着域１６を介して支持具１に取り付けられた生理用ナプキン４は、ナプキン４の外面１７に塗布された粘着剤によって頂部シート７に取り付けられてもよい。この粘着剤や支持具１の第１、２粘着域１４，１６は、商品名マジックテープで知られるメカニカルファスナに代えることもできる。
【００１６】
この発明に係る支持具１は生理用ナプキン４の他に、失禁パッド等の体液吸収性物品に対しても使用することができる。
【００１７】
【発明の効果】
この発明に係る支持具は、生理用ナプキン等の体液吸収性物品を着用したアンダーガーメントの幅方向へ回転可能、かつ、上下方向と前後方向とに移動可能な状態で取り付けることができるから、その体液吸収性物品は身体の動きによく追随して経血等の体液の漏れを防ぐことができる。
【図面の簡単な説明】
【図１】使用状態にある支持具の斜視図。
【図２】図１の部分破断図。
【図３】支持具と生理用ナプキンの平面図。
【図４】実施態様の一例を示す指示具の部分破断斜視図。
【図５】図４のＶ−Ｖ線切断面を示す図。
【図６】アンダーガーメント股部に取り付けられた状態の図４の支持具を示す図。
【図７】図６のＶＩＩ−ＶＩＩ線切断面を示す図。
【符号の説明】
１      支持具
２      アンダーガーメント
３      アンダーガーメント股部
４      体液吸収性物品（生理用ナプキン）
６      第１シート（底部シート）
６ａ    内面
６ｂ    外面
７      第２シート（頂部シート）
７ａ    内面
７ｂ    外面
１１    端部
１２    端部
１４    止着手段(粘着域)
１７    外面
４１    端部
４２    端部
ｘ      横方向
ｙ      縦方向
【図１】
0003971595.tif 000002
【図２】
0003971595.tif 000003
【図３】
0003971595.tif 000004
【図４】
0003971595.tif 000005
【図５】
0003971595.tif 000006
【図６】
0003971595.tif 000007
【図７】
0003971595.tif 000008